Podtech/llm-jp-corpus-v4-ja_patent huggingface dataset:
【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】  船を離脱可能に固定する係留ロボットにおいて、係留ロボットが取付け体に固定でき、取付け体が固定または浮きドックあるいは第二の船であり、係留ロボットが、
船をしっかりと固定するために表面と離脱可能に係合する吸引装着要素と、
吸引要素がそれに対して固定されている、装着要素に動力駆動された三方向への並進運動を与える三軸並進ユニットと、
水平面内で装着要素を駆動するためにそして船首から船尾へおよび船体を横切る両方向で取付け体に対して船を移動させるために並進ユニットに固定された少なくとも１つの作動装置であって、作動装置への駆動が解放可能であって外力が船（および装着要素）を取付け体に対して選択した係留位置から水平面内で変位さ せることができる作動装置と、
船（および装着要素）を選択した係留位置に向かって弾性的に偏寄させる弾性的手段であって、船首から船尾へおよび船体を横切る両方向に作用する弾性的手段とを含む係留ロボット。
【請求項２】  前記少なくとも１つの作動装置への駆動が解放された時に弾性的手段が動作し、係留ロボットが装着要素を垂直に駆動するための並進ユニットに固定された垂直作動装置をさらに含み、垂直作動装置への駆動が解放可能であって、船（および装着要素）を自由に上下させることができる請求項１に記載の係留ロボット。
【請求項３】  前記弾性的手段が装着要素の選択した係留位置からの水平面内の変位に比例した復帰力を与える請求項１または請求項２に記載の係留ロボット。
【請求項４】  前記弾性的手段がエネルギーを解放して装着要素を選択した係留位置へ復帰させ、このエネルギーは装着要素の選択した係留位置からの変位中に蓄えられる請求項３に記載の係留ロボット。
【請求項５】  前記表面は浮かんでいる船の船体の乾舷である請求項１ないし４のいずれか一項に記載の係留ロボット。
【請求項６】  吸引要素が円周状の弾性シールを有する少なくとも１つの真空カップを備える請求項１ないし５のいずれか一項に記載の係留ロボット。
【請求項７】  並進ユニットが並進運動を与える伸縮ロボット・アームを含み、ロボット・アームが実質的に垂直な軸の周りを旋回する請求項１ないし６のいずれか一項に記載の係留ロボット。
【請求項８】  前記垂直作動装置が直線作動装置であり、２つの直線作動装置が、装着要素を水平面内で駆動するために並進ユニットに固定されている請求項２ないし７のいずれか一項に記載の係留ロボット。
【請求項９】  前記ロボット・アームが垂直ガイド内で滑動するよう取付けられている請求項７に記載の係留ロボット。
【請求項１０】  釣り合い手段が前記ロボット・アームの重量の実質的な部分と釣り合う請求項９に記載の係留ロボット。
【請求項１１】  真空カップ・アセンブリがロボット・アームの伸縮端に固定されている請求項６ないし９のいずれか一項に記載の係留ロボット。
【請求項１２】  吸引要素が自在継手によってロボット・アームに装着され、ロボット・アームについてかつその軸に垂直に吸引要素の限られた回転が許容される請求項７ないし１０のいずれか一項に記載の係留ロボット。
【請求項１３】  係留ロボットがドックの前面および頂部の下方に取付けられ、ドックの防舷線内に引込み可能である請求項１ないし１１のいずれか一項に記載の係留ロボット。
【請求項１４】  直線作動装置が複動式油圧ラムである請求項８に記載の係留ロボット。
【請求項１５】  並進ユニットが装着要素と並進ユニットの取り付け体の間の係留力を吸収するための緩衝手段を備える請求項１ないし４のいずれか一項に記載の係留ロボット。
【請求項１６】  前記表面が前記取り付け体に対して固定される請求項１ないし１５のいずれか一項に記載の係留ロボット。
【請求項１７】  各係留ロボットの動作条件が集中的に制御および監視される、請求項１から１６のいずれか一項に記載の２つまたはそれ以上の係留ロボットを備える係留システム。
【請求項１８】  各係留ロボットの制御および監視が船の警報設備に連動される制御システムによって実施される請求項１７に記載の係留システム。
【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】
【請求項１】  エネルギ蓄積装置であって、前記エネルギ蓄積装置は、
予め定められた内部抵抗Ｒと、電池への電気的接続を可能にするための２つの端子とを有する電池と、
端子と並列に接続され、さらには予め定められた等価直列抵抗ＥＳＲを有するスーパーキャパシタとを含み、ＥＳＲ＜０．２５．Ｒである、エネルギ蓄積装置。
【請求項２】  ＥＳＲ＜０．１．Ｒである、請求項１に記載の装置。
【請求項３】  負荷にパルス化された負荷プロファイルを供給するための請求項１に記載の装置であって、
スーパーキャパシタが提供するキャパシタンスは、電池電流を予め定められた最大値に制限するのに十分である、請求項１に記載の装置。
【請求項４】  スーパーキャパシタは、エネルギ蓄積装置が放電するとき実質的に一定の電流を提供する、請求項１に記載の装置。
【請求項５】  電池とスーパーキャパシタとの両者を含むハウジングを含み、端子はハウジングの外側からアクセス可能であって負荷に接続される、請求項１に記載の装置。
【請求項６】  持ち運び可能な電子装置のための電源であって、電源は、請求項１に記載のエネルギ蓄積装置と、エネルギ蓄積装置の端子に係合するための供給レールとを含む、電源。
【請求項７】  エネルギ蓄積装置であって、前記エネルギ蓄積装置は、
電池電流を提供し、さらには負荷に電気的に接続されるための２つの端子を有する電池と、
端子と並列に接続され、さらには使用中には電池電流を予め定められたしきい値に制限する予め定められたキャパシタンスを有するスーパーキャパシタとを含む、エネルギ蓄積装置。
【請求項８】  電源であって、
パルス電流を要求する負荷と電気的に接続されるための２つの端子を有する電池と、
端子と並列に接続されて電池が提供する瞬時電力の範囲と電池が提供する電力の平均値との比を予め定められたしきい値よりも下に維持するスーパーキャパシタとを含む、電源。
【請求項９】  予め定められたしきい値は、１．５、１、および０．３のうちのいずれかである、請求項８に記載の電源。
【請求項１０】  エネルギ蓄積装置であって、
パルス電流を要求する負荷と電気的に接続されるための２つの端子を有する電池と、
端子と並列に接続されて電池が提供する瞬時電力の範囲と電池が提供する電力の平均値との比を予め定められたしきい値よりも下に維持するスーパーキャパシタとを含む、エネルギ蓄積装置。
【請求項１１】  予め定められたしきい値は、１．５、１、０．３のうちのいずれかである、請求項１０に記載のエネルギ蓄積装置。
【請求項１２】  エネルギ蓄積装置であって、
予め定められた内部抵抗Ｒと、電池への電気的接続を可能にするための２つの端子とを有する電池と、
端子と並列に接続され、さらには予め定められた等価直列抵抗ＥＳＲおよびキャパシタンスＣを有するスーパーキャパシタとを含み、ＥＳＲ＜０．５．Ｒであり、Ｃは１ファラドよりも少ない、エネルギ蓄積装置。
【請求項１３】  エネルギ蓄積装置であって、
予め定められた内部抵抗Ｒと、電池への電気的接続を可能にするための２つの端子とを有する電池と、
端子と並列に接続され、さらには予め定められた等価直列抵抗ＥＳＲを有するスーパーキャパシタとを含み、ＥＳＲ＜１１０ミリオーム＜Ｒである、エネルギ蓄積装置。
【請求項１４】  ＥＳＲは約５０ミリオームよりも少ない、請求項１３に記載の装置。
【請求項１５】  ＥＳＲは約３０ミリオームよりも少ない、請求項１３に記載の装置。
【請求項１６】  エネルギ蓄積装置であって、
予め定められた内部抵抗Ｒと、電池への電気的な接続を可能にするための２つの端子とを有する電池と、
端子と並列に接続され、さらには予め定められた等価直列抵抗ＥＳＲ、予め定められた体積Ｖ、および予め定められたキャパシタンスＣを有するスーパーキャパシタとを含み、ＥＳＲ＜０．５．Ｒ、Ｖ＜１４ｃｍ3、およびＣ＞１ファラドである、エネルギ蓄積装置。
【請求項１７】  エネルギ蓄積装置であって、
電池への電気的接続を可能にするための２つの端子を有する電池と、
複数の直列接続されたスーパーキャパシタ単電池を有して端子と並列に接続されるスーパーキャパシタとを含み、スーパーキャパシタ単電池の動作電圧は、少なくとも２．３ボルトであり、スーパーキャパシタは、約２０ミリオームよりも少ない予め定められた等価直列抵抗ＥＳＲを有する、エネルギ蓄積装置。
【請求項１８】  ＥＳＲは約１５ミリオームよりも少ない、請求項１７に記載の装置。
【請求項１９】  エネルギ蓄積装置であって、
電池への電気的接続を可能にするための２つの端子を有する電池と、
複数の直列接続のスーパーキャパシタ単電池を有して端子と並列に接続されるスーパーキャパシタとを含み、スーパーキャパシタ単電池の動作電圧は少なくとも２．３ボルトであり、スーパーキャパシタは約１．９ファラドよりも大きな予め定められたキャパシタンスを有する、エネルギ蓄積装置。
【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】
原稿のドキュメントの上の画像をスケーリングしユーザデバイスによって再生する方法であって、該方法は、
画像をデジタル画像データ（ＤＩＤ）に変換するステップと、
該ＤＩＤをメモリバッファに記憶するステップと、
ユーザデバイスによって再生された時に前記画像の大きさが変更されるように該ＤＩＤを処理するステップと、
を含む前記方法。
【請求項２】
オペレータによって操作され、原稿に印刷された資料をユーザデバイスによって使用される電子データに変換するスキャニングシステムであって、該スキャニングシステムは、
画像をデジタル画像データ（ＤＩＤ）に変換するコンバータと、
生のＤＩＤを受け取り該生のＤＩＤを処理し、処理されたＤＩＤを供給する画像プロセッサと、
ユーザデバイスによって再生された時に前記画像の大きさが変更されるように、処理されたＤＩＤをユーザデバイスＤＩＤに供給する出力データパスと、
を備えた前記スキャニングシステム。
【請求項３】
オペレータによって操作され、１枚または複数枚の原稿のページ上に印刷された資料をユーザデバイスによって使用される電子データに変換するスキャニングシステムであって、該スキャニングシステムは、
原稿からの光を生のデジタル画像データ（ＤＩＤ）に変換するトランスデューサと、
該原稿を該トランスデューサに供給するフィーダと、
前記生のＤＩＤを受け取り該生のＤＩＤを処理して、処理されたＤＩＤを供給する画像プロセッサと、
データをユーザデバイスに供給する出力データパスと、
前記生のＤＩＤおよび／または前記処理されたＤＩＤを記憶するメモリバッファと、
前記の原稿ページからの前記生のＤＩＤを前記出力データパスに供給する直接スキャン動作モードと、
前記ユーザデバイスによって再生された時に前記画像の大きさが変更されるように前記ＤＩＤを処理する画像処理動作モードとを備えた前記スキャニングシステム。
【請求項４】
オペレータによって操作され、原稿に印刷された資料をユーザデバイスによって使用される電子データに変換するスキャニングシステムであって、該スキャニングシステムは、
画像から反射された光をデジタル画像データ（ＤＩＤ）に変換する変換手段と、
該ＤＩＤを記憶するメモリ手段と、
該ＤＩＤを処理する画像プロセッサ手段と、
ユーザデバイスによって再生された時に前記画像の大きさが変更されるように前記ＤＩＤを変更する変更手段とを備えた前記スキャニングシステム。
【手続補正２】
【補正対象書類名】明細書
【補正対象項目名】００３８
【補正方法】変更
【補正の内容】
【００３８】
本発明は高速、大量、高解像度のスキャナに関する新しい機能を企図していることが理解されるであろう。本発明を例示的な実施形態で示し、説明したが、当業者であれば本発明の精神と範囲から離れることなく、上述の変更または種々の他の変更、省略、追加を本発明に加えられることが理解されるであろう。
本発明の実施形態は、原稿のドキュメントの上の画像をスケーリングしユーザデバイスによって再生する方法であって、該方法は、 画像をデジタル画像データ（ＤＩＤ）に変換するステップと、該ＤＩＤをメモリバッファに記憶するステップと、 ユーザデバイスによって再生された時に前記画像の大きさが変更されるように該ＤＩＤを処理するステップとを含む。
この方法において、上記処理ステップはバイリニア補間を含むことができる。
また、本発明の実施形態では、オペレータによって操作され、原稿に印刷された資料をユーザデバイスによって使用される電子データに変換するスキャニングシステムであって、該スキャニングシステムは 画像をデジタル画像データ（ＤＩＤ）に変換するコンバータと、生のＤＩＤを受け取り該生のＤＩＤを処理し、処理されたＤＩＤを供給する画像プロセッサと、ユーザデバイスによって再生された時に前記画像の大きさが変更されるように、処理されたＤＩＤをユーザデバイスＤＩＤに供給する出力データパスとを備えることができる。
上記スキャニングシステムにおいて、前記ＤＩＤを前記メモリバッファに記憶するか、前記画像プロセッサによって処理するか、前記出力データパスに供給するか、前記画像プロセッサによって処理してから前記メモリバッファに記憶するかを制御するコントローラをさらに備えることができる。
本発明の実施形態では、オペレータによって操作され、１枚または複数枚の原稿のページ上に印刷された資料をユーザデバイスによって使用される電子データに変換するスキャニングシステムであって、該スキャニングシステムは、原稿からの光を生のデジタル画像データ（ＤＩＤ）に変換するトランスデューサと、該原稿を該トランスデューサに供給するフィーダと、前記生のＤＩＤを受け取り該生のＤＩＤを処理して、処理されたＤＩＤを供給する画像プロセッサと、データをユーザデバイスに供給する出力データパスと、前記生のＤＩＤおよび／または前記処理されたＤＩＤを記憶するメモリバッファと、 前記の原稿ページからの前記生のＤＩＤを前記出力データパスに供給する直接スキャン動作モードと、前記ユーザデバイスによって再生された時に前記画像の大きさが変更されるように前記ＤＩＤを処理する画像処理動作モードとを備える。
本発明の実施形態は、オペレータによって操作され、原稿に印刷された資料をユーザデバイスによって使用される電子データに変換するスキャニングシステムであって、該スキャニングシステムは、画像から反射された光をデジタル画像データ（ＤＩＤ）に変換する変換手段と、 該ＤＩＤを記憶するメモリ手段と、該ＤＩＤを処理する画像プロセッサ手段と、ユーザデバイスによって再生された時に前記画像の大きさが変更されるように前記ＤＩＤを変更する変更手段とを備えることができる。
本発明の実施形態では、上記スキャニングシステムにおいて、前記ＤＩＤを前記メモリ手段に記憶するか、前記画像プロセッサ手段によって処理するか、前記出力データパス手段に供給するか、前記画像プロセッサ手段によって処理してから前記メモリバッファ手段に記憶するかを制御するコントローラをさらに備えることができる。
上記方法、スキャニングシステムにおいて、ユーザデバイスは、デジタル印刷エンジン又はコンピュータとすることができる。
【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】  プロセッサと、
前記プロセッサに結合されていて、デジタルバスによって相互接続された周辺デバイスと通信する手段と
を具備するデジタルテレビジョン装置であって、
前記周辺デバイスは、識別データがそこに格納されているメモリを装備しており、
前記通信する手段は、プログラムデータを前記周辺デバイスからデジタルテレビジョン装置に転送するときのビットレートを指定しているデータを含めて、前記識別データを前記プロセッサに転送し、該プロセッサは、該ビットレートに応じて確定されたバンド幅をもつアイソクロナスチャネルを前記デジタルバス上に確立することを特徴とするデジタルテレビジョン装置。
【請求項２】  請求項１に記載のデジタルテレビジョン装置において、前記指定されたビットレートは、プログラムデータを転送するときの、ピークビットレートと平均ビットレートのうちの１つを含むことを特徴とするデジタルテレビジョン装置。
【請求項３】  請求項１に記載のデジタルテレビジョン装置において、前記指定されたビットレートは、プログラムデータを転送するときの、ピークビットレートと平均ビットレートのうちの１つを含み、前記バンド幅は、ピークビットレートと該平均ビットレートの組み合わせに応じて確定されることを特徴とするデジタルテレビジョン装置。
【請求項４】  請求項３に記載のデジタルテレビジョン装置において、前記平均ビットレートは、１ビデオフレームに関連する期間にわたる平均であることを特徴とするデジタルテレビジョン装置。
【請求項５】  請求項１に記載のデジタルテレビジョン装置において、前記デジタルバスはIEEE 1394に準拠していることを特徴とするデジタルテレビジョン装置。
【請求項６】  請求項５に記載のデジタルテレビジョン装置において、転送する手段が、バスリセットのあと前記ビットレートの情報を転送することを特徴とするデジタルテレビジョン装置。
【請求項７】  請求項５に記載のデジタルテレビジョン装置において、前記周辺デバイスはEIA-775Aに準拠していることを特徴とするデジタルテレビジョン装置。
【請求項８】  請求項７に記載のデジタルテレビジョン装置において、前記ビットレートの情報は、プラグインフォブロック（Plug Info Block）に収められていることを特徴とするデジタルテレビジョン装置。
【請求項９】  デジタルバスを介して周辺デバイスに結合されたデジタルテレビジョン装置を含み、前記周辺デバイスが、該周辺デバイスに関連する識別データがそこに格納されているメモリを装備しているシステムにおいて、前記デジタルバス上に通信チャネルを確立する方法であって、該方法は、
ディスカバリ動作モードにあるとき、前記周辺デバイスに関連する前記識別データを前記デジタルテレビジョン装置に転送するステップと、
前記周辺デバイスに関連する前記データを読み取って、該周辺デバイスと前記デジタルテレビジョン装置の間でプログラムデータを転送するときのビットレートを決定するステップと、
前記デジタルテレビジョン装置と前記周辺デバイスの間のデジタルバス上にアイソクロナスチャネルを確立するステップとを含み、
該アイソクロナスチャネルは、前記プログラムデータを転送するときのビットレートに応じて確定されたバンド幅をもっていることを特徴とする方法。
【請求項１０】  ディスプレイと、
前記ディスプレイに結合され、デジタルテレビジョン装置に関連するリモートコントロールユニットから送信されたユーザコマンドに応答して、第１ユーザインタフェースモードに従ってOSD信号を生成するプロセッサと、
前記プロセッサに結合され、デジタルバスによって相互接続された周辺デバイスと通信する手段と
を具備するデジタルテレビジョン装置であって、
前記周辺デバイスは、該周辺デバイスに関連する第２リモートコントロールユニットから送信されたユーザコマンドに応答して、第２ユーザインタフェースモードに従ってOSD信号を生成し、
前記プロセッサは、あらかじめ決められたユーザコマンドに応答して、ユーザインタフェースモード選択ディスプレイを生成するためのOSD信号を生成し、
該ユーザインタフェースモード選択ディスプレイは、前記第１ユーザインタフェースモードと前記第２ユーザインタフェースモードのうちの１つを、ユーザがデフォルトユーザインタフェースモードとして選択することを可能にし、前記プロセッサは、ユーザがデフォルトモードを選択したことに応答して、前記第１ユーザインタフェースモードと前記第２ユーザインタフェースモードのうちの１つに従ってOSD信号を生成することを特徴とするデジタルテレビジョン装置。
【請求項１１】  請求項１０に記載のデジタルテレビジョン装置において、前記第２ユーザインタフェースは、ビットマップOSDを利用していることを特徴とするデジタルテレビジョン装置。
【請求項１２】  請求項１０に記載のデジタルテレビジョン装置において、前記第２ユーザインタフェースは、記述言語を利用していることを特徴とするデジタルテレビジョン装置。
【請求項１３】  請求項１２に記載のデジタルテレビジョン装置において、前記記述言語は、HTML、AVCパネルサブユニット、およびHAVi DDIコントローラの１つを含むことを特徴とするデジタルテレビジョン装置。
【請求項１４】  デジタルバスを介して周辺デバイスに結合されたデジタルテレビジョン装置を含み、該デジタルテレビジョン装置は、第１ユーザインタフェースモードに従ってOSD信号を生成し、該周辺デバイスは、第２ユーザインタフェースモードに従ってOSD信号を生成するように構成したシステムにおいて、ユーザコマンドに応答してOSD信号を生成する方法であって、該方法は、
ユーザに対しユーザインタフェース選択スクリーンを提供するステップであって、該選択スクリーンは、前記第１ユーザインタフェースモードと前記第２ユーザインタフェースモードを含めて、利用可能なユーザインタフェースモードのタイプを表示する、ステップと、
前記ユーザによって選択されたデフォルトユーザインタフェースモードを受け付けるステップと、
ユーザコマンドに応答してOSD信号を生成するステップとを含み、
該OSD信号は、前記ユーザによって選択された前記デフォルトユーザインタフェースモードに従って生成されることを特徴とする方法。
【請求項１５】  請求項１４に記載の方法において、前記第２ユーザインタフェースは、EIA-775Aに準拠するビットマップOSDを利用していることを特徴とする方法。
【請求項１６】  請求項１４に記載の方法において、前記第２ユーザインタフェースは、ユーザが前記周辺デバイスを制御することを可能にする記述言語を利用していることを特徴とする方法。
【請求項１７】  請求項１６に記載の方法において、前記記述言語は、HTML、AVCパネルサブユニット、およびHAVi DDIコントローラの１つを含むことを特徴とする方法。
【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】  フィールドプログラマブルゲートアレイ（ＦＰＧＡ）であって、
１列以上の多機能タイルを含み、各々の多機能タイルは、
多機能タイルの他のものへのプログラム可能な相互接続をもたらすためのプログラム可能スイッチを含み、前記プログラム可能スイッチは入力マルチプレクサ（ＩＭＵＸ）および出力マルチプレクサ（ＯＭＵＸ）を含み、前記多機能タイルはさらに、
前記ＩＭＵＸに結合された入力データバスと、
前記ＯＭＵＸに結合された出力データバスと、
前記入力データバスに結合された入力ポート、および前記出力データバスに結合された出力ポートを有する、メモリ（ＲＡＭ）と、
前記入力データバスに結合された入力ポート、および前記出力データバスに結合された出力ポートを有する、乗算器とを含み、ＲＡＭおよび前記乗算器は前記多機能タイルのルーティングリソースを共有する、ＦＰＧＡ。
【請求項２】  前記入力データバスは、第１のデータ信号を運ぶための第１のバスと、第２のデータ信号を運ぶための第２のバスとを含み、
ＲＡＭは、前記第１のバスに結合された第１の入力ポートと、前記第２のバスに結合された第２の入力ポートとを含み、
前記乗算器は、前記第１のバスに結合された第１のオペランドポートと、前記第２のバスに結合された第２のオペランドポートとを含む、請求項１に記載のＦＰＧＡ。
【請求項３】  前記ＲＡＭが第１の構成にある、前記ＲＡＭへの書込動作中に、前記ＲＡＭは、前記第１のデータ信号および前記第２のデータ信号からの或る数の最下位ビット（ＬＳＢ）を、前記ＲＡＭ内の選択されたアドレスに書込み、同時に前記乗算器は、前記第１のデータ信号からの或る数の最上位ビット（ＭＳＢ）を前記第２のデータ信号からの或る数のＭＳＢで乗じて積を生成する、請求項２に記載のＦＰＧＡ。
【請求項４】  前記ＲＡＭが第２の構成態様にある、前記ＲＡＭへの書込動作中に、前記ＲＡＭは、前記第１および第２のデータ信号を前記ＲＡＭ内の選択されたアドレスに書込む、請求項３に記載のＦＰＧＡ。
【請求項５】  前記出力データバスは、前記ＯＭＵＸと、前記ＲＡＭの第１および第２の出力ポートとの間にそれぞれ結合された、第１の出力バスおよび第２の出力バスを含む、請求項１に記載のＦＰＧＡ。
【請求項６】  フィールドプログラマブルゲートアレイ（ＦＰＧＡ）の多機能ブロッ
ク内で乗算器とメモリとの間でルーティングリソースを共有する方法であって、
第１および第２のデータ信号を前記多機能ブロックに与えるステップと、
前記第１のデータ信号からの或る数のビットを第１のデータワードとして前記メモリに与えるステップと、
前記第１のデータ信号からの或る数のビットを第１のオペランドとして前記乗算器に与えるステップと、
前記第２のデータ信号からの或る数のビットを第２のデータワードとして前記メモリに与えるステップと、
前記第２のデータ信号からの或る数のビットを第２のオペランドとして前記乗算器に与えるステップと、
前記第１および第２のデータワードを前記メモリに書込むステップと、
同時に前記乗算器にある前記第１のオペランドと第２のオペランドとを乗じることで積を生成するステップとを含む、方法。
【請求項７】  さらに、
第１および第２の出力ワードを、前記メモリのそれぞれ第１および第２の出力ポートから読出すステップと、
前記積の最上位桁を前記第１の出力ワードと選択的に連結し、かつ前記積の最下位桁を前記第２の出力ワードと連結することによって、前記メモリからのデータ、および前記乗算器からの積情報を、同時に読出すことを容易にするステップとを含む、請求項６に記載の方法。
【手続補正書】
【提出日】平成20年4月22日(2008.4.22)
【手続補正１】
【補正対象書類名】明細書
【補正対象項目名】特許請求の範囲
【補正方法】変更
【補正の内容】
【特許請求の範囲】
【請求項１】  コード位相トラッキング方法であって、
（ａ）  ターゲット擬似ランダム雑音コードを含むサブジェクト信号を受信するステップと、
（ｂ）  ターゲットコードに対応する早期及び遅延レプリカコードを含む一連の信号を発生させるステップと、
（ｃ）  サブジェクト信号と早期及び遅延レプリカコード信号とを相関させ、早期及び遅延相関値それぞれを返すステップと、
（ｄ）  早期及び遅延相関値から導出され、コード位相誤差ゼロでの傾きが真の早期マイナス遅延相関関数に比べて増大している改変早期マイナス遅延相関関数から、ターゲットコードとレプリカコードのコード位相誤差を決定するステップと、を含む、
コード位相トラッキング方法。
【請求項２】  早期マイナス遅延相関関数を導出する前に、サブジェクト信号、早期及び遅延レプリカコード信号、又は早期及び遅延相関値のいずれかを改変することで前記早期マイナス遅延相関関数が改変される、請求項１に記載の方法。
【請求項３】  サブジェクト信号のパワースペクトルの少なくとも１つの奇数高調波のサイズが縮小されるか又は該高調波が除去される、請求項２に記載の方法。
【請求項４】  サブジェクト信号のパワースペクトルの少なくとも１つの偶数高調波のサイズが拡大される、請求項２に記載の方法。
【請求項５】  サブジェクト信号のパワースペクトルの帯域を高調波間で切り取って隣接する偶数高調波を除去する、請求項２に記載の方法。
【請求項６】  早期及び遅延レプリカコード信号の少なくとも一方のパワースペクトルの少なくとも１つの奇数高調波のサイズが縮小されるか又は該高調波が除去される、請求項２に記載の方法。
【請求項７】  早期及び遅延レプリカコード信号の少なくとも一方のパワースペクトルの少なくとも１つの偶数高調波のサイズが拡大される、請求項２に記載の方法。
【請求項８】  早期及び遅延レプリカコード信号の少なくとも一方のパワースペクトルの帯域を高調波間で切り取って隣接する偶数高調波を除去する、請求項２に記載の方法。
【請求項９】  ターゲット擬似ランダム雑音コードを含むサブジェクト信号を受信するアンテナと請求項１〜８のいずれかに記載のコード位相相関方法を実行する信号プロセッサを備える受信機。
【請求項１０】  サブジェクト信号のパワースペクトルが、サイズが縮小されるか除去される少なくとも１つの奇数高調波、サイズが拡大される少なくとも１つの偶数高調波、又は隣接する偶数高調波を除去するために高調波間で切り取られた縮小帯域のいずれかを有するように、ターゲット擬似ランダム雑音コードを含む受信サブジェクト信号のパワースペクトルを改変する信号プロセッサを備える受信機。
【請求項１１】  ターゲット擬似ランダム雑音コードを含むサブジェクト信号を受信するアンテナ及び信号プロセッサを備える受信機であって、該信号プロセッサが、ターゲットコードに対応する早期及び遅延レプリカコードを含む一連の信号を発生させる発生器と、サブジェクト信号と早期及び遅延レプリカコード信号を相関させ、早期及び遅延相関値それぞれを返す相関器と、コード位相誤差ゼロでの改変早期マイナス遅延相関関数の傾きが真の早期マイナス遅延相関関数に比べて増大するように早期及び遅延相関値から導出した改変早期マイナス遅延相関関数から、ターゲットコードとレプリカコードとのコード位相誤差を決定する手段を備える受信機。
【請求項１２】  早期マイナス遅延相関関数を導出する前に、サブジェクト信号、早期及び遅延レプリカコード信号、又は早期及び遅延相関値のいずれかを改変することによって、早期マイナス遅延相関関数が改変される、請求項１１に記載の受信機。
【請求項１３】  サブジェクト信号のパワースペクトルの少なくとも１つの奇数高調波のサイズが縮小されるか又は該高調波が除去される、請求項１２に記載の受信機。
【請求項１４】  サブジェクト信号のパワースペクトルの少なくとも１つの偶数高調波のサイズが拡大される、請求項１２に記載の受信機。
【請求項１５】  サブジェクト信号のパワースペクトルの帯域が高調波間で切り取られて隣接する偶数高調波を除去する、請求項１２に記載の受信機。
【請求項１６】  早期及び遅延レプリカコード信号の少なくとも一方のパワースペクトルの少なくとも１つの奇数高調波のサイズが縮小されるか又は該高調波が除去される、請求項１２に記載の受信機。
【請求項１７】  早期及び遅延レプリカコード信号の少なくとも一方のパワースペクトルの少なくとも１つの偶数高調波のサイズが拡大される、請求項１２に記載の受信機。
【請求項１８】  早期及び遅延レプリカコード信号の少なくとも一方のパワースペクトルの帯域が高調波間で切り取られて隣接する偶数高調波が除去される、請求項１２に記載の受信機。
【手続補正書】
【提出日】平成19年11月21日(2007.11.21)
【手続補正１】
【補正対象書類名】明細書
【補正対象項目名】請求項４９
【補正方法】変更
【補正の内容】
【請求項４９】  エチレン応答抑制有効量の式II
【化６】
2003533972.tif 000001
（式中、ｎは１〜４の数であり、各Ｒは、独立して、飽和又は不飽和、直鎖状又は分岐鎖状、非置換又は置換の炭素数５のアルキル、アルケニル又はアルキニルである。）
の化合物を植物に適用するステップを含む、植物のエチレン応答を抑制する方法。
【手続補正２】
【補正対象書類名】明細書
【補正対象項目名】請求項６１
【補正方法】変更
【補正の内容】
【請求項６１】  脱落抑制有効量の式II
【化７】
2003533972.tif 000002
（式中、ｎは１〜４の数であり、各Ｒは、独立して、飽和又は不飽和、直鎖状又は分岐鎖状、非置換又は置換の炭素数５のアルキル、アルケニル又はアルキニルである。）
の化合物を植物に適用するステップを含む植物の脱落を抑制する方法。
【手続補正３】
【補正対象書類名】明細書
【補正対象項目名】請求項７０
【補正方法】変更
【補正の内容】
【請求項７０】  寿命延長有効量の式II
【化８】
2003533972.tif 000003
（式中、ｎは１〜４の数であり、各Ｒは、独立して、飽和又は不飽和、直鎖状又は分岐鎖状、非置換又は置換の炭素数５のアルキル、アルケニル又はアルキニルである。）
の化合物を切花に適用するステップを含む、切花の寿命を延長する方法。
【手続補正４】
【補正対象書類名】明細書
【補正対象項目名】請求項７９
【補正方法】変更
【補正の内容】
【請求項７９】  抑制有効量の式II
【化９】
2003533972.tif 000004
（式中、ｎは１〜４の数であり、各Ｒは、独立して、飽和又は不飽和、直鎖状又は分岐鎖状、非置換又は置換の炭素数５のアルキル、アルケニル又はアルキニルである。）
の化合物を収穫した果実に適用するステップを含む、収穫した果実の成熟を抑制する方法。
【手続補正５】
【補正対象書類名】明細書
【補正対象項目名】請求項８８
【補正方法】変更
【補正の内容】
【請求項８８】  抑制有効量の式II
【化１０】
2003533972.tif 000005
（式中、ｎは１〜４の数であり、各Ｒは、独立して、飽和又は不飽和、直鎖状又は分岐鎖状、非置換又は置換の炭素数５のアルキル、アルケニル又はアルキニルである。）
の化合物を収穫した野菜に適用するステップを含む、収穫した野菜の成熟を抑制する方法。
【手続補正６】
【補正対象書類名】明細書
【補正対象項目名】００１５
【補正方法】変更
【補正の内容】
【００１５】
発明の詳細な説明
本発明を実施するために使用することができるシクロプロペン誘導体は、式Ｉ、
【化１１】
2003533972.tif 000006
（式中、ｎは１〜４の数であり、好ましくはｎは１又は２であり、最も好ましくはｎは１であり、Ｒは、独立して、飽和又は不飽和、直鎖状又は分岐鎖状、非置換又は置換の炭素数６〜２０のアルキル、アルケニル又はアルキニルである。）
によって表される。
別の実施態様において、本発明を実施するために使用することができるシクロプロペン誘導体は、式II、
【化１１Ａ】
2003533972.tif 000007
（式中、ｎは１〜４の数であり、好ましくはｎは１又は２であり、最も好ましくはｎは１であり、Ｒは、独立して、飽和又は不飽和、直鎖状又は分岐鎖状、非置換又は置換の炭素数５のアルキル、アルケニル又はアルキニルである。）
によって表される。
【手続補正書】
【提出日】平成20年5月9日(2008.5.9)
【手続補正１】
【補正対象書類名】明細書
【補正対象項目名】特許請求の範囲
【補正方法】変更
【補正の内容】
【特許請求の範囲】
【請求項１】  プリオンタンパク質のＰｒＰScイソ型のＣ末端部分またはその一部によってもたらされる三次元立体配座に対して選択的に結合し得るが、ＰｒＰC形態には結合しない抗体。
【請求項２】  Ｃ末端部分が、およそアミノ酸番号１９０〜アミノ酸番号２１４の範囲にあるプリオンポリペプチドの領域、好ましくはプリオンポリペプチドの番号２０２〜２１４の範囲にあるプリオンポリペプチドの領域、またはその三次元立体配座を変化させることなく１つ以上のアミノ酸を置換もしくは除去もしくは付加することによって得られるその変異体を含む、請求項１記載の抗体。
【請求項３】  抗体により認識されるタンパク質配列が
【表１】
2003534000.tif 000001
またはその一部である、請求項１または請求項２記載の抗体。
【請求項４】  ポリクローナル抗体またはモノクローナル抗体またはそれらのフラグメントである、請求項１〜３のいずれか一項記載の抗体。
【請求項５】  マーカーに連結されている、請求項１〜４のいずれか一項記載の抗体。
【請求項６】  ハイブリドーマ細胞株ＣＮＣＭ  Ｉ−２４７６に由来する、請求項１または請求項２のいずれか一項記載の抗体。
【請求項７】  ウシ海綿状脳症またはクロイツフェルト・ヤコブ病またはクロイツフェルト・ヤコブ病の変異型形態またはＴＳＥ関連疾患を診断および／または処置するための、請求項１〜６のいずれか一項記載の抗体またはその機能的部分の使用。
【請求項８】  ＢＳＥおよび／またはＣＪＤおよび／またはｖＣＪＤまたはＴＳＥ関連疾患に対する薬物を製造するための、請求項１〜６のいずれか一項記載の抗体の使用。
【請求項９】  ＢＳＥ、ＣＪＤ、ｖＣＪＤまたはＴＳＥ関連疾患に対する能動的ワクチンおよび／または受動的ワクチンを製造するための、請求項１〜６のいずれか一項記載の抗体の使用。
【請求項１０】  請求項１〜６のいずれか一項記載の抗体を製造する方法であって、下記のアミノ酸配列：
【表２】
2003534000.tif 000002
を有するペプチド、または三次元立体配座が実質的に保持されるという条件のもとで１つ以上のアミノ酸を置換、欠失もしくは付加することによって得られるその変異体の、免疫応答を誘発するために十分な量で動物を免疫化する工程を含む方法。
【請求項１１】  請求項１〜６のいずれか一項記載の抗体を含有する、ＢＳＥおよび／またはＣＪＤおよび／またはｖＣＪＤまたはＴＳＥ関連疾患を診断し、かつ／または処置するためのキット。
【請求項１２】  請求項１〜６のいずれか一項記載の抗体を含む、医薬組成物。
【請求項１３】  請求項１〜６のいずれか一項記載の抗体を生産し得る、ハイブリドーマ細胞株。
【請求項１４】  ＣＮＣＭ  Ｉ−２４７６である、請求項１３記載のハイブリドーマ細胞株。
【請求項１５】  請求項１〜６のいずれか一項記載の抗体のイディオタイプに対する抗体。
【請求項１６】  薬物またはワクチンを製造するための、請求項１５記載の抗体の使用。
【請求項１７】  下記のアミノ酸配列
【表３】
2003534000.tif 000003
を有するか、または該ペプチドの三次元立体配座特徴が実質的に維持されるという条件のもとで１つ以上のアミノ酸を置換することによって該ペプチドに由来する配列を有するペプチド。
【請求項１８】  ペプチドが
【表４】
2003534000.tif 000004
である、請求項１７記載のペプチド。
【請求項１９】  ＢＳＥ、ＣＪＤ、ｖＣＪＤまたはＴＳＥ関連疾患に対する薬物またはワクチンを調製するための、請求項１７または請求項１８記載のアミノ酸配列の使用。
【手続補正書】
【提出日】平成20年5月2日(2008.5.2)
【手続補正１】
【補正対象書類名】明細書
【補正対象項目名】特許請求の範囲
【補正方法】変更
【補正の内容】
【特許請求の範囲】
【請求項１】  少なくとも無線ソース装置と無線シンク装置とを含む無線ネットワー
クに等時性のリソースを確保するための方法であって、該無線ネットワークは、時分割多
元接続によるフレーム伝送方式に基づいており、
該無線ソース装置に接続されるバス配線上にある有線のソース装置に、該バス配線のフ
レームの間に出力プラグにより出力されるデータの最大量を定義する出力プラグレジスタ
と関連される該出力プラグを設けるステップと、
該バス配線のフレームで送出されるデータの該最大量に対応する該バス配線の帯域幅の
量を確保するステップと、
無線フレームの間に出力プラグにより出力されるデータの最大量を定義する出力プラグ
レジスタと関連される該出力プラグを該無線ソース装置に設けるステップと、
該無線ネットワークの等時性リソースマネージャにより無線フレームで送出されるデー
タの該最大量に対応する該無線ネットワークの帯域幅の量を確保するステップと、
該無線ネットワークを通して送出される等時性データを該有線のソース装置から無線ソ
ース装置に供給するステップと、
を備えることを特徴とする方法。
【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】
【請求項１】
第１の入力信号（ＩＤ）を第１の出力信号（ＩＡ）へ送る第１のチャネル（２９１）と、第２の入力信号（ＱＤ）を第２の出力信号（ＱＡ）へ送る第２のチャネル（２９２）とを有する回路（２９９）のための利得制御器（２００）であって、前記第１のチャネル（２９１）と前記第２のチャネル（２９２）とのうちのいずれかにおける利得（Ｌ）を調整する制御信号（Ｗ）を供給する前記利得制御器（２００）において、
第１の複数の比較器（２２１−２２４）であって、各比較器は前記第１の入力信号（ＩＤ）の第１成分（ＩＤ（Ｐ））と第２成分（ＩＤ（Ｍ））とのうちの１つを、前記第２の入力信号（ＱＤ）の第１成分（ＱＤ（Ｐ））と第２成分（ＱＤ（Ｍ））とのうちの１つと比較し、各比較器は、シングルビットの入力関連信号（ＣＤ（…，…））を第１のサンプリング速度（Ｆ）で供給する、前記第１の複数の比較器（２２１−２２４）と、
第２の複数の比較器（２１１−２１４）であって、各比較器は前記第１の出力信号（ＩＡ）の第１成分（ＩＡ（Ｐ））と第２成分（ＩＡ（Ｍ））とのうちの１つを、前記第２の出力信号（ＱＡ）の第１成分（ＱＡ（Ｐ））と第２成分（ＱＡ（Ｍ））とのうちの１つと比較し、各比較器は、シングルビットの出力関連信号（ＣＡ（…，…））を前記第１のサンプリング速度（Ｆ）で供給する、前記第２の複数の比較器（２１１−２１４）と、
前記第１の複数の比較器の各比較器から前記シングルビットの入力関連信号（ＣＤ（…，…））を受け取り、前記第２の複数の比較器の各比較器から前記シングルビットの出力関連信号（ＣＡ（…，…））を受け取り、且つ前記シングルビットの入力及び出力関連信号の所定の組み合わせを積分して、第２のより低いサンプリング速度（ＦＲ）での前記制御信号（Ｗ）を得る信号処理回路（２９０）と
を備える利得制御器（２００）。
【請求項２】
前記信号処理回路（２９０）は更に、前記第１の入力信号（ＩＤ）及び前記第２の入力信号（ＱＤ）を受け取る請求項１記載の利得制御器（２００）。
【請求項３】
前記信号処理回路（２９０）は、速度変換を行うためのデシメータ（２３２、２４２、２５２、２６２）を用いる請求項１記載の利得制御器（２００）。
【請求項４】
前記デシメータは、前記第１のサンプリング速度（Ｆ）から前記第２のサンプリング速度（ＦＲ）に、８と６４との間の範囲でのデシメーション比率（Ｒ）で変換する請求項３記載の利得制御器（２００）。
【請求項５】
前記第１の入力信号（ＩＤ）及び前記第２の入力信号（ＱＤ）がディジタル信号である請求項１記載の利得制御器（２００）。
【請求項６】
前記第１の出力信号（ＩＡ）及び前記第２の出力信号（ＱＡ）がアナログ信号である請求項１記載の利得制御器（２００）。
【請求項７】
第１の２成分入力信号（ＩＤ（Ｐ），ＩＤ（Ｍ））を第１の２成分出力信号（ＩＡ（Ｐ），ＩＡ（Ｍ））に送る第１のチャネル（２９１）と、第２の２成分入力信号（ＱＤ（Ｐ），ＱＤ（Ｍ））を第２の２成分出力信号（ＱＡ（Ｐ），ＱＡ（Ｍ））に送る第２のチャネル（２９２）との間の、回路（２９９）における利得均衡を制御する方法（４００）において、
前記第１及び第２の入力信号の４つの成分の組み合わせ（ＩＤ（Ｐ），ＱＤ（Ｐ）；ＩＤ（Ｐ），ＱＤ（Ｍ）；ＩＤ（Ｍ），ＱＤ（Ｐ）；ＩＤ（Ｍ），ＱＤ（Ｍ））の全てを独立に比較し、且つその比較結果を第１のサンプリング速度での４つのシングルビット入力関連信号（ＱＤ（Ｐ，Ｐ）；ＱＤ（Ｐ，Ｍ）；ＱＤ（Ｍ，Ｐ）；ＱＤ（Ｍ，Ｍ））により表すステップ（４１０）と、
前記第１及び第２の出力信号の４つの成分の組み合わせ（ＩＡ（Ｐ），ＱＡ（Ｐ）；ＩＡ（Ｐ），ＱＡ（Ｍ）；ＩＡ（Ｍ），ＱＡ（Ｐ）；ＩＡ（Ｍ），ＱＡ（Ｍ））の全てを独立に比較し、且つその比較結果を第１のサンプリング速度での４つのシングルビット出力関連信号（ＱＡ（Ｐ，Ｐ）；ＱＡ（Ｐ，Ｍ）；ＱＡ（Ｍ，Ｐ）；ＱＡ（Ｍ，Ｍ））により表すステップ（４２０）と、
前記シングルビット入力及び出力関連信号の所定の組み合わせを積分して、前記第１のチャネル（２９１）か又は前記第２のチャネル（２９２）かのいずれかにおいて利得（Ｌ）を調整する、第２のより低いサンプリング速度（ＦＲ）での制御信号（Ｗ）を獲得するステップ（４３０）と
を備える方法。
【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】
【請求項１】  無線ネットワーク、該無線ネットワークに接続されるソース装
置、及び該無線ネットワークに接続されるシンク装置を含むシステムにおける
等時性のデータパケットを送信する方法であって、
複数のデータパケットを事前にセグメント化することなしに該等時性のデー
タパケットを所与のプロトコルレイヤに送出することを含む第一のモードと、
該等時性のデータパケットをセグメント化された形式で該所与のプロトコルレ
イヤに送出することを含む第二のモードとのうちで、該等時性のデータパケッ
トの送信モードを選択するステップを備える、
ことを特徴とする方法。
【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】  （ａ）通信回線からデータを受信するステップと、
（ｂ）上記データを複数のパケットに分離するステップと、
（ｃ）共通の特性を有するパケットを選択するステップと、
（ｄ）上記選択されたパケットを、並列した複数の侵入発見装置のうちの１つに供給するステップと、
を含む、通信回線上のデータを処理する方法。
【請求項２】  ステップ（ｃ）は、１つのセッションに対応するパケットを選択することを含む、請求項１に記載の方法。
【請求項３】  ステップ（ｃ）は、ソース・アドレス、宛先アドレス、自立システム、ソース・ポート、宛先ポート、ネットワーク識別子、１対のホスト、又はこれらの組み合わせに基づいてパケットを選択することを含む、請求項１に記載の方法。
【請求項４】  第１の特性を有するパケットを上記並列した複数の侵入発見装置のうちの第１の侵入発見装置へ流し、第２の特性を有するパケットを上記並列した複数の侵入発見装置のうちの第２の侵入発見装置へ流すことを含む、請求項１に記載の方法。
【請求項５】  ステップ（ｄ）の前に、上記選択されたパケットを暗号化するステップをさらに含む、請求項１に記載の方法。
【請求項６】  ステップ（ｃ）は、各タイプに基づいてパケットを選択することを含む、請求項１に記載の方法。
【請求項７】  上記方法は、上記分離されたパケットを格納するステップをさらに含み、
ステップ（ｃ）は、上記格納されたパケットを各特性に基づいて選択することを含む、請求項１に記載の方法。
【請求項８】  ステップ（ａ）は、第１のプロトコルの下でデータを受信することを含み、
ステップ（ｄ）は、上記選択されたパケットを、上記第１のプロトコルとは異なる第２のプロトコルの下で供給することを含む、請求項１に記載の方法。
【請求項９】  （ａ）通信回線からデータを受信するステップと、
（ｂ）上記データを複数のパケットに分離するステップと、
（ｃ）パケットを各特性に基づいて選択するステップと、
（ｄ）上記選択されたパケットに対応する統計値を発生するステップと、
（ｅ）上記統計値の履歴値に基づいて閾値を発生するステップと、
（ｆ）上記統計値が上記閾値を超過すると警報信号を発生するステップと、
を含む、通信回線上のデータを処理する方法。
【請求項１０】  上記統計値は、１つのソース・アドレスから受信された異なるユーザのパケットの数に対応する、請求項９に記載の方法。
【請求項１１】  上記統計値はキー・ファイルを修正するために受信されたパケットのカウント数である、請求項９に記載の方法。
【請求項１２】  上記統計値は、共通のソースまたは宛先アドレスに関連するホスト・ペア接続の数に対応する、請求項９に記載の方法。
【請求項１３】  上記統計値は、ホスト・ペアに対応するパケット・レートに対応する、請求項９に記載の方法。
【請求項１４】  上記統計値は、ホストに対応する個々のセッションに対応する、請求項９に記載の方法。
【請求項１５】  上記統計値は、所定の時間期間にわたる上記通信回線の利用に対応する、請求項９に記載の方法。
【請求項１６】  上記統計値は、無効なソースまたは宛先アドレスの数に対応する、請求項９に記載の方法。
【請求項１７】  各通信回線からのデータを受信するように接続された複数のネットワーク・モニタと、
複数のネットワークモニタの各々に接続されていて、受信データの少なくとも１つと、上記複数のネットワーク・モニタの少なくとも１つからの受信データに対応する統計値を受信する管理モジュールと、
を含むネットワーク上の通信をモニタするシステム。
【請求項１８】  （ａ）第１の通信回線からデータを受信するステップと、
（ｂ）上記第１の通信回線からのデータを複数のパケットに分離するステップと、
（ｃ）第２の通信回線からのデータを受信するステップと、
（ｄ）上記第２の通信回線からのデータを複数のパケットに分離するステップと、
（ｅ）上記第１の通信回線からの選択されたパケットの少なくとも１つと、上記第１の通信回線からの選択されたパケットに対応する統計値を中央管理モジュールに供給するステップと、
（ｆ）上記第２の通信回線からの選択されたパケットの少なくとも１つと、上記第２の通信回線からの選択されたパケットに対応する統計値を中央管理モジュールに供給するステップと、
を含む、ネットワーク上の伝送されたデータを収集し、分析する方法。
【手続補正書】
【提出日】平成20年5月9日(2008.5.9)
【手続補正１】
【補正対象書類名】明細書
【補正対象項目名】特許請求の範囲
【補正方法】変更
【補正の内容】
【特許請求の範囲】
【請求項１】
製造装置の運転性を評価するためのシステムであって、
該装置からの高頻度データセットと低頻度データセットとを備え、
各データセットは、対応する入力の組み合わせから収集された連続するデータポイントの系列を含むシステム。
【請求項２】
電子写真マーキングマシンであって、
（ａ）前の複数の電子写真マーキングに対応する複数のパラメータを含む短期データセットと、
（ｂ）該マーキングマシンの選択されたイベントに対応する複数のパラメータを含む長期データセットと
を備えた電子写真マーキングマシン。
【請求項３】
複数のフレームを作成するための電子写真マーキングマシンであって、
（ａ）該複数のフレームに対応する複数のパラメータを含む短期データセットと、
（ｂ）所定時における該マーキングマシンの選択された状態に対応する複数のパラメータを含む長期データセットと
を備えた電子写真マーキングマシン。
【手続補正２】
【補正対象書類名】明細書
【補正対象項目名】００２５
【補正方法】変更
【補正の内容】
【００２５】
本発明は一定の実施の形態との関係で説明されているけれども、本発明の範囲を、説明された特定の形に限定することは意図されておらず、反対に、添付されている請求項により定義される本発明の範囲内に含まれる選択肢、修正、及び等価物を含むことが意図されている。
［付記］
（付記１）
製造装置の運転性を評価するためのシステムであって、
該装置からの高頻度データセットと低頻度データセットとを備え、
各データセットは、対応する入力の組み合わせから収集された連続するデータポイントの系列を含む前記システム。
（付記２）
該高頻度データ及び低頻度データは、同時に更新される付記１に記載のシステム。
（付記３）
各系列は、データポイントの所定最大数までを備えた付記２に記載のシステム。
（付記４）
各データセットは、ＦＩＦＯベースで維持される付記１に記載のシステム。
（付記５）
いずれかのデータセットのグラフィック表示を更に備えた付記１に記載のシステム。
（付記６）
該高頻度データ及び該低頻度データの入力は異なる付記１に記載のシステム。
（付記７）
該高頻度データ及び該低頻度データは、共通の入力を含む付記１に記載のシステム。
（付記８）
独立に検索できる該高頻度データ及び低頻度データを記憶するために選択されたデータ記録器を更に備えた付記１に記載のシステム。
（付記９）
該製造装置は電子写真マーキングマシンであり、該高頻度はフレームの系列の各々により定められ、該低頻度はオートセットアップの系列の各々により定められる付記１に記載のシステム。
（付記１０）
該オートセットアップは、該マーキングマシンの連続運転の期間中に所定間隔で生じる付記９に記載のシステム。
（付記１１）
いずれかのデータセットを独立したコンピュータに作用的に結合させるように選択されたインターフェースを更に備えた付記１に記載のシステム。
（付記１２）
いずれかのデータセットのグラフィック表示を作成するようになされたディスプレイ・スクリーンを更に備えた付記１に記載のシステム。
（付記１３）
電子写真マーキングマシンであって、
（ａ）前の複数の電子写真マーキングに対応する複数のパラメータを含む短期データセットと、
（ｂ）該マーキングマシンの選択されたイベントに対応する複数のパラメータを含む長期データセットと
を備えた電子写真マーキングマシン。
（付記１４）
該短期データセットを記憶するための第１記録器と、該長期データセットを記憶するための第２記録器とを更に備えた付記１３に記載の電子写真マーキングマシン。
（付記１５）
該短期データセットは、所定数の電子写真マーキングの各々に対応するパラメータを含む付記１３に記載の電子写真マーキングマシン。
（付記１６）
該長期データセットは、該電子写真マーキングマシンのセットアップ状態に対応するパラメータを含む付記１３に記載の電子写真マーキングマシン。
（付記１７）
複数のフレームを作成するための電子写真マーキングマシンであって、
（ａ）該複数のフレームに対応する複数のパラメータを含む短期データセットと、
（ｂ）所定時における該マーキングマシンの選択された状態に対応する複数のパラメータを含む長期データセットと
を備えた電子写真マーキングマシン。
（付記１８）
該所定時は、該マシンのパワーアップ又は連続運転の期間中の選択された時間間隔である付記１７に記載の電子写真マーキングマシン。
（付記１９）
該所定時は、フレームの数に依存しない付記１７に記載の電子写真マーキングマシン。
（付記２０）
該複数のフレームは連続している付記１７に記載のシステム。